(57)【要約】【課題】ハードディスク上に複数のディスクに収録された音楽データを記録した場合に、所望のディスクの所望の曲をより直観的に管理することができるようにする。【解決手段】ハードディスクに、複数のコンパクトディスクに収録されている音楽データが記録される。このハードディスクの音楽データを再生する際に、恰もラックに複数枚のＣＤジャケットが立てて並べられているようなイメージとなるように、断面が略正方形で薄板上の物体を立てて横に並べたようなイメージ２１Ａ、２１Ｂ、２１Ｃ、・・・ の表示が現れる。このイメージ２１Ａ、２１Ｂ、２１Ｃ、・・・ をマウスで操作すると、この表示の捲れる位置が順次右又は左に移動していく。これにより、恰もラックにあるＣＤジャケットを捲りながら探していくときのようにして、所望の音楽データを検索して、再生させることができる。【選択図】図６
2008123536.tif 000002
【特許請求の範囲】
【請求項１】
データと前記データに関連する画像データを対応付けて記憶する記憶手段と、
データを再生する再生手段と、
複数の前記データに対応する複数のイメージを表示部に表示させ、前記表示された複数のイメージのうち対応する画像データが露呈された一のイメージに対する操作入力に基づいて、前記一のイメージに対応するデータを前記再生手段に再生させる制御手段と
を備える再生装置。
【請求項２】
前記記憶手段は、前記データに関連する付随情報を前記データと共に記憶する
ことを特徴とする請求項１記載の再生装置。
【請求項３】
前記付随情報は、アルバムタイトル、アーチスト、及び曲名の何れかを含む
ことを特徴とする請求項２記載の再生装置。
【請求項４】
前記制御手段は、前記複数のイメージにそれぞれ対応するデータの付随情報を前記表示部に表示させる
ことを特徴とする請求項２記載の再生装置。
【請求項５】
前記露呈された画像データに対する操作入力は、ダブルクリックである
ことを特徴とする請求項１記載の再生装置。
【請求項６】
前記制御手段は、複数の検索項目を前記表示部に表示させ、前記操作手段への操作入力に基づいて選択された一の検索項目に基づいて複数の前記イメージをソートして前記表示部に表示させる
ことを特徴とする請求項１記載の再生装置。
【請求項７】
前記検索項目はアルバムタイトル、アーチスト、及び曲名である
ことを特徴とする請求項６記載の再生装置。
【請求項８】
前記制御手段は、前記複数のイメージのうち、前記一のイメージを第一の表示形態で、前記一のイメージ以外のイメージを前記第一の表示形態よりも表示領域の小さい第二の表示形態で、前記表示部に表示させる
ことを特徴とする請求項１記載の再生装置。
【請求項９】
前記制御手段は、前記一のイメージとは異なる他のイメージに対する操作入力に基づいて、露呈される画像データを、前記一のイメージに対応するデータの画像データから前記他のイメージに対応するデータの画像データへと変更して前記表示部に表示させる
ことを特徴とする請求項１記載の再生装置。
【請求項１０】
前記操作手段への所定の操作入力に基づいて、露呈される画像データを隣のイメージに対応するデータの画像データに順次変更して前記表示部に表示させる
ことを特徴とする請求項１記載の再生装置。
【請求項１１】
前記制御手段は、前記所定の操作入力の継続時間に基づいて、画像データが露呈されるイメージの変更速度が順次増加するよう表示制御する
ことを特徴とする請求項１０記載の再生装置。
【請求項１２】
前記制御手段は、ディスクに記録されたオーディオデータを前記記憶手段にデータとして記憶させ、前記記録されたオーディオデータに対応する複数の前記ジャケットのイメージデータを表示部に表示させる
ことを特徴とする請求項１記載の再生装置。
【請求項１３】
前記制御手段は、ディスクに記録されたオーディオデータを高速で前記記憶手段に記憶させる
ことを特徴とする請求項１２記載の再生装置。
【請求項１４】
前記制御手段は、ディスクに記録されたオーディオデータを圧縮して前記記憶手段に記憶させる
ことを特徴とする請求項１２記載の再生装置。
【請求項１５】
前記制御手段は、さらに通信で送られてきたオーディオデータを記録する
ことを特徴とする請求項１２記載の再生装置。
【請求項１６】
前記制御手段は、さらにＦＭチューナで受信されたオーディオデータを記録する
ことを特徴とする請求項１４記載の再生装置。
【請求項１７】
前記制御手段は、前記複数のイメージの側面に、前記複数のイメージにそれぞれ対応するデータの付随情報を表示させる
ことを特徴とする請求項２記載の再生装置。
【請求項１８】
データと前記データに関連する画像データを対応付けて記憶手段に記憶し、
複数の前記データに対応する複数のイメージを表示させ、
前記表示された複数のイメージのうち画像データが露呈された一のイメージに対する操作入力に基づいて、前記一のイメージに対応するデータを再生手段に再生させる
ことを特徴とする再生方法。
【請求項１９】
前記記憶手段は、前記データに関連する付随情報を前記データと共に記憶する
ことを特徴とする請求項１８記載の再生方法。
【請求項２０】
前記付随情報は、アルバムタイトル、アーチスト、及び曲名の何れかを含む
ことを特徴とする請求項１９記載の再生方法。
【請求項２１】
前記複数のイメージにそれぞれ対応するデータの付随情報を前記表示部に表示させることを特徴とする請求項１９記載の再生方法。
【請求項２２】
前記露呈された画像データに対する前記操作入力は、ダブルクリックである
ことを特徴とする請求項１８記載の再生方法。
【請求項２３】
複数の検索項目を前記表示部に表示させ、前記操作入力に基づいて選択された一の検索項目に基づいて複数の前記イメージをソートして前記表示部に表示させる
ことを特徴とする請求項１８記載の再生方法。
【請求項２４】
前記検索項目はアルバムタイトル、アーチスト、及び曲名である
ことを特徴とする請求項２３記載の再生方法。
【請求項２５】
前記複数のイメージのうち、前記一のイメージを第一の表示形態で、前記一のイメージ以外のイメージを前記第一の表示形態よりも表示領域の小さい第二の表示形態で、前記表示部に表示させる
ことを特徴とする請求項１８記載の再生方法。
【請求項２６】
前記一のイメージとは異なる他のイメージに対する操作入力に基づいて、露呈される画像データを、前記一のイメージに対応するデータの画像データから前記他の板に対応するデータの画像データへと変更して前記表示部に表示させる
ことを特徴とする請求項１８記載の再生方法。
【請求項２７】
所定の前記操作入力に基づいて、露呈される画像データを隣のイメージに対応するデータの画像データに順次変更して前記表示部に表示させる
ことを特徴とする請求項１８記載の再生方法。
【請求項２８】
前記所定の操作入力の継続時間に基づいて、露呈される画像データの変更速度を順次増加させて制御する
ことを特徴とする請求項２７記載の再生方法。
【請求項２９】
ディスクに記録されたオーディオデータを前記記憶手段にデータとして記憶させ、前記記録されたオーディオデータに対応する複数のイメージを表示部に表示させる
ことを特徴とする請求項１８記載の再生方法。
【請求項３０】
ディスクに記録されたオーディオデータを高速で前記記憶手段に記憶させる
ことを特徴とする請求項２９記載の再生方法。
【請求項３１】
ディスクに記録されたオーディオデータを圧縮して前記記憶手段に記憶させる
ことを特徴とする請求項２９記載の再生方法。
【請求項３２】
さらに通信で送られてきたオーディオデータを記録する
ことを特徴とする請求項２９記載の再生方法。
【請求項３３】
さらにＦＭチューナで受信されたオーディオデータを記録する
ことを特徴とする請求項３１記載の再生方法。
【請求項３４】
前記複数のイメージの側面に、前記複数のイメージにそれぞれ対応するデータの付随情報を表示させる
ことを特徴とする請求項１９記載の再生方法。
【発明の詳細な説明】
【技術分野】
【０００１】
この発明は、例えば、複数のコンパクトディスクに収録された音楽データをハードディスクに記録／再生するようにした記録媒体再生装置において、所望の曲を検索するのに用いて好適な再生装置及び再生方法に関する。
【背景技術】
【０００２】
コンパクトディスクの普及に伴って、ユーザが所有しているコンパクトディスクの枚数も増加してきている。ユーザのコンパクトディスクの所有枚数が増加すると、これらのディスクを整理するのが大変になり、また、複数のディスクの中から、所望の曲の入っているディスクを検索するのが困難になってくる。
【０００３】
また、複数のディスクに収録されている曲の中で、特定のアーチストの曲や同じジャンルの曲を連続して再生しようとする場合がある。コンパクトディスクを通常のコンパクトディスクプレーヤで再生する場合、このように複数のディスクに収録されている曲を再生しようとすると、ディスクの入れ替えが必要になる。
【０００４】
複数のディスクが収納可能とされ、これら複数のディスクの中から所望のディスクを選択して再生可能とされたチェンジャ機能を備えたＣＤプレーヤを用いれば、ディスクの出し入れは不要になるが、たとえチェンジャ機能を備えていても、ディスクの交換時間が必要である。また、チェンジャ機能を備えたＣＤプレーヤでも、収納できるディスクの枚数には限界がある。
【０００５】
そこで、ハードディスクを音楽データの記録媒体として用い、所望の曲をハードディスクに記録／再生するようにしたオーディオ記録再生装置が考えられている。
【０００６】
即ち、近年、ハードディスクの記憶容量が飛躍的に増大してきており、ハードディスクに複数の曲の音楽データを記録することが可能になってきている。ハードディスクは、アクセス速度が速く、ハードディスク上では、再生曲順等を自在に設定できる。このため、ハードディスクを音楽データの記録媒体として用いた場合には、複数のディスクに収録されている曲を記録することができ、これら複数のディスクに渡る曲を、タイトル順やアーチスト順にソートして、整理することができる。また、ハードディスクはアクセス速度が速いので、選曲時間が短縮できる。
【発明の開示】
【発明が解決しようとする課題】
【０００７】
このように、ハードディスクを音楽データの記録媒体として用いると、複数のディスクに収録されている音楽データを記録することができ、然も、これら複数のディスクに収録されている音楽データを、タイトル順やアーチスト順にソートして、整理することが簡単にできる。しかしながら、その反面、大量の音楽データを記録できるということは、効率的で分かり易い音楽データの管理をしないと、所望の音楽データの検索が難しくなってしまう。
【０００８】
コンピュータデータの場合には、大量のデータを効率的に管理する方法として、従来より、階層構造による管理が良く行われている。そこで、ハードディスクに音楽データを記録する場合に、音楽データを階層構造で管理していくことが考えられる。音楽データを階層的に管理していくと、例えば、大分類としてアーチスト名で分類し、各アーチス名の下の階層で、そのアーチストのアルバムで分類し、更にその下の階層で、そのアルバムに収められている曲名で分類するような構造となる。このようにすると、アーチス名、アルバム名と辿っていくと、所望の曲を再生することができるようになる。
【０００９】
ところが、ユーザの音楽に関する記憶は曖昧であり、ユーザが聞きたいと欲する曲も、確かに定まっているわけではない。従って、音楽データの管理をする場合には、従来のような階層的な管理が必ずしも良いとは言えない。音楽データのような人間の感情を喚起させるデータを管理する場合には、コンピュータデータを管理する場合とは異なり、人間の直観に訴えるような、より自然な管理方法が望まれる。
【００１０】
従って、この発明の目的は、例えば、ハードディスク上に複数のディスクに収録された音楽データを記録した場合に、所望のディスクの所望の曲をより直観的に管理することができる再生装置及び再生方法を提供することにある。
【課題を解決するための手段】
【００１１】
この発明は、データとデータに関連する画像データを対応付けて記憶する記憶手段と、
データを再生する再生手段と、
複数のデータに対応する複数のイメージを表示部に表示させ、表示された複数のイメージのうち対応する画像データが露呈された一のイメージに対する操作入力に基づいて、一のイメージに対応するデータを再生手段に再生させる制御手段と
を備える再生装置である。
この発明は、データとデータに関連する画像データを対応付けて記憶手段に記憶し、
複数のデータに対応する複数のイメージを表示させ、
表示された複数のイメージのうち画像データが露呈された一のイメージに対する操作入力に基づいて、一のイメージに対応するデータを再生手段に再生させる
ことを特徴とする再生方法である。
【００１２】
ハードディスクに、複数のコンパクトディスクに収録されている音楽データが記録される。このハードディスクの音楽データを再生する際に、恰もラックに複数枚のＣＤジャケットが立てて並べられているようなイメージとなるように、断面が略正方形で薄板上の物体を立てて横に並べたようなイメージの表示が現れる。このイメージをマウスで操作すると、この表示の捲れる位置が順次右又は左に移動していく。
【発明の効果】
【００１３】
この発明によれば、恰もラックにあるＣＤジャケットを捲りながら探していくときのようにして、所望の音楽データを検索して、再生させることができる。
【発明を実施するための最良の形態】
【００１４】
以下、この発明の実施の形態について図面を参照して説明する。図１は、この発明が適用されたオーディオシステムの一例を示すものである。図１において、１はオーディオ制御装置を示す。オーディオ制御装置１は、コンパクトディスクやＣＤ−ＲＯＭを再生するためのコンパクトディスクドライブ３８を有していると共に、音楽データが記録可能なハードディスクドライブ３６を備えている。オーディオ制御装置１は、更に、ＣＰＵやＲＯＭ、ＲＡＭを備えている。
【００１５】
オーディオ制御装置１には、入力デバイスとして、キーボード２やマウス３が接続される。マウス３としては、右ボタン３Ａと左ボタン３Ｂとを有するものが用いられる。また、オーディオ制御装置１にはディスプレイ４が接続されている。オーディオ制御装置１に対する入力は、ディスプレイ４に表示されるアイコンをマウス３で操作することにより行なえる。更に、オーディオ制御装置１には、イメージスキャナ８を取り付けることができる。イメージスキャナ８は、例えば、ＣＤのジャケットのイメージを取り込むのに利用できる。
【００１６】
５はオーディオアンプである。オーディオアンプ５は、オーディオソースからのオーディオ信号を増幅するものである。オーディオアンプ５の出力がスピーカ７Ａ及び７Ｂに供給される。このシステムでは、オーディオソースとして、ＦＭチューナ６からのＦＭ放送信号、オーディオ制御装置１からのコンパクトディスクの再生信号又はハードディスクの再生信号が入力される。オーディオシステムとしては、これらの他に、ＭＤプレーヤやＣＤプレーヤ、ＶＴＲやビデオディスクプレーヤ等を含めることができる。
【００１７】
図２は、オーディオ制御装置１の構成を示すものである。図２において、ＣＰＵ３１は、全体の動作を制御している。このＣＰＵ３１からバス３２にが導出される。バス３２に、ＲＯＭ３３、ＲＡＭ３４が接続される。また、バス３２に、インターフェース３５を介して、ハードディスクドライブ３６が接続されると共に、インターフェース３７を介して、コンパクトディスクドライブ３８が接続される。また、バス３２に、インターフェース３９を介して、イメージスキャナ８が接続される。更に、バス３２には、キーボード２、マウス３等の入力デバイスや、ディスプレイ４が接続される。また、オーディオインターフェース４３を介して、音楽データが入／出力される。
【００１８】
コンパクトディスクに記録されている音楽データをハードディスクで記録する場合には、ＣＰＵ３１の制御の基に、コンパクトディスクドライブ３８に装着されたコンパクトディスクから音楽データが再生される。この音楽データがＣＰＵ３１の制御の基に処理され、バス３２を介して転送され、ハードディスクドライブ３６で記録される。
【００１９】
なお、コンパクトディスクドライブ３８として高速アクセスのものを用いれば、ディスクの再生実時間より高速で、コンパクトディスクに記録されている音楽データをハードディスクに記録させることができる。また、コンパクトディスクに記録されている音楽データをハードディスクで記録する際に、音楽データを圧縮するようにしても良い。
【００２０】
ハードディスクで記録されている音楽データを再生する場合には、ＣＰＵ３１の制御の基に、ハードディスクドライブ３６から音楽データが再生される。この音楽データがＣＰＵ３１の制御の基に処理され、バス３２を介して、オーディオインターフェース４３に転送される。そして、オーディオインターフェース４３を介して、外部に音声信号が送られる。
【００２１】
このように、オーディオ制御装置１には、ハードディスクドライブ３６が設けられており、このハードディスクドライブ３６に、コンパクトディスクドライブ３８に装着されたコンパクトディスクの音楽データを記録することができる。
【００２２】
図３は、コンパクトディスクドライブ３８に装着されたコンパクトディスクをハードディスクドライブ３６で記録する場合の処理を示すものである。図３において、先ず、コンパクトディスクの音楽データをハードディスクに記録するコマンドが入力されたかどうかが判断される（ステップＳＴ１）。コンパクトディスクの音楽データをハードディスクに記録するコマンドが入力されると、コンパクトディスクドライブ３８に装着されたコンパクトディスクの音楽データをハードディスクドライブ３６で記録する処理が行われる（ステップＳＴ２）。
【００２３】
コンパクトディスクドライブ３８に装着されたコンパクトディスクをハードディスク３６で記録する処理が終了したかどうかが判断され（ステップＳＴ３）、記録処理が終了したら、アルバムタイトル、アーチスト、曲名等、記録した音楽データに関する付随情報が入力されたかどうかが判断される（ステップＳＴ４）。
【００２４】
なお、アルバムタイトル、アーチスト、曲名等、記録した音楽データに関する付随情報の入力は、例えば、キーボード２により行われる。また、ＣＤテキストのように、コンパクトディスクにディスクの付随情報が記録されている場合には、このディスクの付随情報をそのまま用いることができる。
【００２５】
記録した音楽データに関する付随情報が入力されたら、この記録した音楽データに関する付随情報が保存される（ステップＳＴ５）。そして、ジャケットのイメージデータが入力されたかどうかが判断される（ステップＳＴ６）。
【００２６】
なお、ジャケットのイメージデータは、例えば、コンパクトディスクのジャケットの画像をイメージスキャナ８で入力できる。また、ジャケットの画像をコンピュータで作成しておき、この画像をジャケットデータとして用いるようにしても良い。更に、予め用意された画像データをジャケットのイメーシデータとして利用するようにしても良い。
【００２７】
ジャケットのイメージデータが入力されたら、このジャケットデータが保存される（ステップＳＴ７）。
【００２８】
以上のような処理により、オーディオ制御装置１のハードディスク３６には、コンパクトディスクドライブ３８に装着されたコンパクトディスクに収録されていた音楽データが、そのディスクの付随情報及びジャケットのイメージデータと共に記録される。
【００２９】
なお、オーディオ制御装置１のハードディスク３６には、勿論、コンパクトディスクドライブ３８に装着されたコンパクトディスクに収録されている音楽データの他に、ＦＭチューナ６で受信された音楽データや通信で送られてきた音楽データ等、他の音楽データを記録することができる。この場合にも、上述のコンパクトディスクの音楽データの場合と同様に、その音楽データに関する付随情報やジャケットのイメージデータと共に保存することができる。
【００３０】
このように、オーディオ制御装置１のハードディスクドライブ３６では、複数のコンパクトディスクに収録されていた大量の音楽データを記録することができる。このような大量の音楽データを、人間の直観に訴えるような、より自然に管理できるように、この発明が適用されたシステムでは、ディスプレイ４上にＣＤジャケットのイメーシを映出し、恰もラックにあるＣＤジャケットを捲りながら探していくときのようにして、所望の音楽データを検索できるようにしている。
【００３１】
つまり、図４は、ハードディスクドライブ３６に記録されている音楽データを再生する場合のディスプレイ４の表示を示すものである。ハードディクドライブ３６に記録された音楽データを再生する際には、図４に示すように、ディスプレイ４には、断面が略正方形で薄板状のイメージ２１Ａ、２１Ｂ、２１Ｃ、・・・ を立てて横に並べたようなイメージが現れる。また、ディスプレイ４には、マウスポインタ２２、速度表示２３が表示される。
【００３２】
この断面が略正方形で薄板上のイメージ２１Ａ、２１Ｂ、２１Ｃ、・・・ は、ＣＤジャケットの形態のイメージを模したものである。以下、この物体のイメージ２１Ａ、２１Ｂ、２１Ｃ、・・・ をＣＤジャケット表示と称する。
【００３３】
ＣＤジャケット表示２１Ａ、２１Ｂ、２１Ｃ、・・・ の側面には、ディスクの付随情報に基づいた、アルバムタイトルやアーチスト名等の検索インデックス２５Ａ、２５Ｂ、２５Ｃ、・・・ が表示される。また、ディスプレイ４には、検索メニュー２４を表示される。この検索メニュー２４を使って、アルバムタイトルの名前順やアーチスト名の名前順等によるソートを行うことができる。
【００３４】
このように、ディスプレイ４には、複数枚のＣＤジャケットがラックに並べられているようなイメージの表示が現れる。そして、ユーザは、恰もラックにあるＣＤジャケットを捲りながら探していくときのようにして、所望の音楽データを検索して、再生させることができる。
【００３５】
つまり、ハードディスクドライブ３６に記録されている音楽データ中から、所望のものを検索する場合、ユーザは、先ず、ＣＤジャケット表示２１Ａ、２１Ｂ、２１Ｃ、・・・ の側面の検索インデックの情報２５Ａ、２５Ｂ、２５Ｃ、・・・ から、自分の聞きたい曲の入っているアルバムを探す。ＣＤジャケット表示２１Ａ、２１Ｂ、２１Ｃ、・・・ は、アーチスト順や曲名順にソートできるので、ユーザは、自分の聞きたい曲が入っているアルバムに対応するＣＤジャケット表示２１Ａ、２１Ｂ、２１Ｃ、・・・ の近傍を直ちに検索できる。
【００３６】
自分の聞きたい曲の入っているアルバムに対応するＣＤジャケット表示２１Ａ、２１Ｂ、２１Ｃ、・・・ が検索されたら、そのアルバムのＣＤジャケット表示２１Ａ、２１Ｂ、２１Ｃ、・・・ に、マウスポインタ２２を移動させ、マウス３の左ボタン３Ｂをクリックする。
【００３７】
マウス３の左ボタン３Ｂがクリックされると、図５に示すように、ＣＤジャケット表示２１Ａ、２１Ｂ、２１Ｃ、・・・ を立てて横に並べたようなラック表示は、マウス３がクリックされた位置で捲れたようになり、マウス３がクリックされた位置のＣＤジャケット表示のジャケット面が露呈されたようなイメージとなる。
【００３８】
ここで、マウス３の右ボタン３Ａ又は左ボタン３Ｂを押し続けると、図６に示すように、ＣＤジャケット表示２１Ａ、２１Ｂ、２１Ｃ、・・・ を立てて横に並べたような表示が捲れていく位置が順次右又は左に移動していき、そのジャケット面が露呈されるＣＤジャケット表示が順に右又は左に移動していく。即ち、マウス３の右ボタン３Ａ又は左ボタン３Ｂを押し続けると、恰もラックにあるＣＤジャケットを捲りながら探していくときのように、ラック表示中のＣＤジャケット表示２１Ａ、２１Ｂ、２１Ｃ、・・・ の捲れる位置が順に移動していく。
【００３９】
なお、マウス３の右ボタン又は左ボタンを押し続けて、ＣＤジャケット表示２１Ａ、２１Ｂ、２１Ｃ、・・・ の捲れる位置が移動していく際に、始めは、その速度が遅く、徐々に速度が増していく。このＣＤジャケット表示２１Ａ、２１Ｂ、２１Ｃ、・・・ の捲れていく際の速度は、速度表示２３により表示される。
【００４０】
このように、マウス３の右ボタン又は左ボタンを押し続けると、ＣＤジャケット表示２１Ａ、２１Ｂ、２１Ｃ、・・・ を立てて横に並べたような表示の捲れる位置が順次右又は左に移動していき、ジャケット面が露呈されるＣＤジャケット表示２１Ａ、２１Ｂ、２１Ｃ、・・・ の位置が、順次、右又は左に移動していく。ＣＤジャケット表示２１Ａ、２１Ｂ、２１Ｃ、・・・ のジャケット面が露呈されると、そのジャケット面の情報から、ユーザの聞きたい曲の入っているアルバムに対応するものかどうかが分かる。
【００４１】
ユーザは、そのジャケット面の情報を見ながら、マウス３の右ボタン３Ａ又は左ボタン３Ｂを押して、聞きたい曲の入っているアルバムに対応するＣＤジャケット表示２１Ａ、２１Ｂ、２１Ｃ、・・・ を選ぶ。そして、聞きたい曲の入っているアルバムに対応するＣＤジャケット表示２１Ａ、２１Ｂ、２１Ｃ、・・・ が見つかったら、図７に示すように、そのＣＤジャケット表示のジャケット面にマウスポインタ２２を移動させ、マウス３の左ボタン３Ｂをダブルクリックする。
【００４２】
マウス３の左ボタン３Ｂがダブルクリックされると、そのＣＤジャケット表示に対応して記録されている音楽データがハードディスクドライブ３６上から読み出され、その音楽データが再生されていく。
【００４３】
図６は、このときの処理を示すフローチャートである。図６において、ＣＤジャケット表示２１Ａ、２１Ｂ、２１Ｃ、・・・ を立てて横に並べたようなラック表示がディスプレイ４上に表示される（ステップＳＴ１１）。そして、ＣＤジャケット表示２１Ａ、２１Ｂ、２１Ｃ、・・・ 上にマウスポインタ２２が移動され、マウス３がクリックされたかどうかが判断される（ステップＳＴ１２）。
【００４４】
ＣＤジャケット表示２１Ａ、２１Ｂ、２１Ｃ、・・・ 上で、マウス３がクリックされたら、そのマウスポインタ２２の位置のＣＤジャケット表示２１Ａ、２１Ｂ、２１Ｃ、・・・ が露呈される（ステップＳＴ１３）。
【００４５】
露呈されているＣＤジャケット表示２１Ａ、２１Ｂ、２１Ｃ、・・・ 上にマウスポインタ２２が移動され、マウス３がダブルクリックされたかどうかが判断される（ステップＳＴ１４）。ダブルクリックされていなければ、マウス３の右ボタン３Ａ又は左ボタン３Ｂが押されているかどうかが判断される（ステップＳＴ２５）。
【００４６】
マウス３の右ボタン３Ａが押されていれば、ＣＤジャケット表示２１Ａ、２１Ｂ、２１Ｃ、・・・ を立てて横に並べたようなラック表示の捲れる位置が順に右に移動される（ステップＳＴ１６）。そして、ＣＤジャケット表示２１Ａ、２１Ｂ、２１Ｃ、・・・ の捲れる位置が移動していく際の速度が増加される（ステップＳＴ１７）。マウス３の右ボタン３Ａが押され続けているかどうかが判断され（ステップＳＴ１８）、マウス３の右ボタンが押され続けていれば、ステップＳＴ１６に戻り、ＣＤジャケット表示２１Ａ、２１Ｂ、２１Ｃ、・・・ を立てて横に並べたような表示の捲れる位置が順次右に移動されていく。このとき、ＣＤジャケット表示２１Ａ、２１Ｂ、２１Ｃ、・・・ の捲れる位置が移動していく際の速度が順次増加される。
【００４７】
ステップＳＴ１５で、マウス３の左ボタン３Ｂが押されていれば、ＣＤジャケット表示２１Ａ、２１Ｂ、２１Ｃ、・・・ を立てて横に並べたようなラック表示の捲れる位置が順に左に移動される（ステップＳＴ１９）。そして、ＣＤジャケット表示２１Ａ、２１Ｂ、２１Ｃ、・・・ の捲れる位置が移動していく際の速度が増加される（ステップＳＴ２０）。マウス３の左ボタン３Ｂが押され続けているかどうかが判断され（ステップＳＴ２１）、マウス３の左ボタン３Ｂが押され続けていれば、ステップＳＴ１９に戻り、ＣＤジャケット表示２１Ａ、２１Ｂ、２１Ｃ、・・・ を立てて横に並べたような表示の捲れる位置が順次左に移動されていく。このとき、ＣＤジャケット表示２１Ａ、２１Ｂ、２１Ｃ、・・・ の捲れる位置が移動していく際の速度が順次増加される。
【００４８】
ステップ１８又はステップＳＴ２１で、マウス３の右ボタン３Ａ又は左ボタン３Ｂが放されたら、その位置のＣＤジャケット表示２１Ａ、２１Ｂ、２１Ｃ、・・・ が露呈される（ステップＳＴ２３）。そして、ステップＳＴ１４に戻される。
【００４９】
ここで、ステップＳＴ１４で、露呈されているＣＤジャケット表示２１Ａ、２１Ｂ、２１Ｃ、・・・ 上にマウスポインタ２２が移動され、マウス３がダブルクリックされたかどうかが判断される。露呈されているＣＤジャケット表示２１Ａ、２１Ｂ、２１Ｃ、・・・ がダブルクリックされたと判断されたら、そのＣＤジャケット表示２１Ａ、２１Ｂ、２１Ｃ、・・・ に対応する曲の音楽データがハードディスクドライブ３６から読み出される（ステップＳＴ２３）。
【図面の簡単な説明】
【００５０】
【図１】この発明が適用できるオーディオ記録／再生システムの一例の斜視図である。
【図２】この発明が適用できるオーディオ制御装置の一例のブロック図である。
【図３】この発明が適用できるオーディオ制御装置の一例の説明に用いるフローチャートである。
【図４】この発明が適用できるオーディオ制御装置の一例における検索時の表示の説明に用いる斜視図である。
【図５】この発明が適用できるオーディオ制御装置の一例における検索時の表示の説明に用いる斜視図である。
【図６】この発明が適用できるオーディオ制御装置の一例における検索時の表示の説明に用いる斜視図である。
【図７】この発明が適用できるオーディオ制御装置の一例における検索時の表示の説明に用いる斜視図である。
【図８】この発明が適用できるオーディオ制御装置の一例における検索時の説明に用いるフローチャートである。
【符号の説明】
【００５１】
１・・・オーディオ制御装置
３・・・マウス
４・・・ディスプレイ
２１Ａ、２１Ｂ、２１Ｃ・・・ＣＤジャケット表示
２２・・・マウスボインタ
３６・・・ハードディスクドライブ
３８・・・コンパクトディスクドライブ
【図１】
2008123536.tif 000003
【図２】
2008123536.tif 000004
【図３】
2008123536.tif 000005
【図４】
2008123536.tif 000006
【図５】
2008123536.tif 000007
【図６】
2008123536.tif 000008
【図７】
2008123536.tif 000009
【図８】
2008123536.tif 000010